(57)【要約】【課題】複数の通信方式を並行して利用している状況でバッテリの残量が所定量以下となったとき、バッテリの使用可能時間の延長を実現できる移動体通信端末、移動体通信方法および移動体通信制御プログラムを得ること。【解決手段】携帯電話端末１００の無線通信部１０２は通常時にＷ−ＣＤＭＡ無線制御部装置１２１とＧＳＭ無線制御部装置１２２が並行使用されるデュアル通信モードとなっている。メイン制御装置１１１は起動時にユーザ設定で電源の低減時動作が設定されていることを判別するとバッテリ制御部装置１１５がバッテリデバイス１０４のバッテリ残量が所定値よりも低下した状態で、一方の無線制御部装置が使用されるシングル通信モードに切り替えて電力消費を低減させる。【選択図】図１
2009194805.tif 000002
【特許請求の範囲】
【請求項１】
複数の通信方式を備えた通信手段と、
この通信手段を含めた装置各部に電源を供給するバッテリと、
このバッテリの残量を検出するバッテリ残量検出手段と、
このバッテリ残量検出手段が所定の閾値以下の残量を検出したとき前記複数の通信方式の少なくとも２以上の並行使用としてのデュアル通信モードからいずれか１つの通信方式のみを使用するシングル通信モードに切り替える通信モード切替手段
とを具備することを特徴とする移動体通信端末。
【請求項２】
前記通信モード切替手段は、Ｗ−ＣＤＭＡ（Wideband Code Division Multiple Access）通信方式とＧＳＭ（Global System for Mobile Communications）通信方式の少なくとも２つの通信方式について、前記デュアル通信モードとシングル通信モードの切り替えを行うモード切替手段を具備することを特徴とする請求項１記載の移動体通信端末。
【請求項３】
前記通信モード切替手段は、前記バッテリの残量に応じてＷ−ＣＤＭＡ通信時におけるＨＳＤＰＡ（High Speed Downlink Packet Access）通信の利用をオン・オフするＨＳＤＰＡ通信オン・オフ切替手段を具備することを特徴とする請求項１記載の移動体通信端末。
【請求項４】
前記バッテリ残量検出手段が検出する前記所定の閾値およびＨＳＤＰＡ通信オン・オフ切替手段のオン・オフが切り替えられる前記バッテリの残量は、ユーザがそれぞれ設定および変更可能であることを特徴とする請求項３記載の移動体通信端末。
【請求項５】
電源投入時に電源管理に関するユーザの予め設定したユーザ設定情報を読み出すユーザ設定情報読出手段と、
このユーザ設定情報読出手段で読み出したユーザ設定情報が前記通信モード切替手段の切替内容を設定しているときのみ前記バッテリ残量検出手段の検出動作に基づく前記デュアル通信モードからシングル通信モードへの切り替えを有効にするモード切替可否設定手段
とを具備することを特徴とする請求項１記載の移動体通信端末。
【請求項６】
自端末の電源投入時に電源管理に関するユーザの予め設定したユーザ設定情報を読み出すユーザ設定情報読出ステップと、
前記自端末に電源を供給するバッテリの残量が所定の閾値以下となったときこれを検出するバッテリ残量閾値以下検出ステップと、
このバッテリ残量閾値以下検出ステップで前記バッテリの残量が前記所定の閾値以下となったことが検出されたときで、前記ユーザ設定情報読出ステップで読み出したユーザ設定情報が、２以上の通信方式の並行使用としてのデュアル通信モードで通信を行うデュアル通信モードからこれらの通信方式のうちの特定の１つの使用としてのシングル通信モードに通信モードを切り替える旨の設定内容となっているとき、この切り替えを行う通信モード切替ステップ
とを具備することを特徴とする移動体通信方法。
【請求項７】
前記２以上の通信方式は、Ｗ−ＣＤＭＡ（Wideband Code Division Multiple access）通信方式とＧＳＭ（Global system for Mobile Communications）通信方式を少なくとも含んでおり、前記通信モード切替ステップは、バッテリ残量の更なる低下に対応してＨＳＤＰＡ（High Speed Downlink Packet Access）通信の利用をオンからオフに切り替えるＨＳＤＰＡ切替ステップを更に具備することを特徴とする請求項７記載の移動体通信方法。
【請求項８】
バッテリから電源の供給を受ける移動体通信端末のコンピュータに、
自端末の電源投入時に電源管理に関するユーザの予め設定したユーザ設定情報を読み出すユーザ設定情報読出処理と、
前記自端末に電源を供給するバッテリの残量が所定の閾値以下となったときこれを検出するバッテリ残量閾値以下検出処理と、
このバッテリ残量閾値以下検出処理で前記バッテリの残量が前記所定の閾値以下となったことが検出されたときで、前記ユーザ設定情報読出処理で読み出したユーザ設定情報が、２以上の通信方式の並行使用としてのデュアル通信モードで通信を行うデュアル通信モードからこれらの通信方式のうちの特定の１つの使用としてのシングル通信モードに通信モードを切り替える旨の設定内容となっているとき、この切り替えを行う通信モード切替処理
とを実行させることを特徴とする移動体通信制御プログラム。
【発明の詳細な説明】
【技術分野】
【０００１】
本発明は、移動体通信端末、移動体通信方法および移動体通信制御プログラムに係わり、特にバッテリの消費電力を低減させるために好適な移動体通信端末、移動体通信方法および移動体通信制御プログラムに関する。
【背景技術】
【０００２】
携帯電話機に代表される移動体通信システムが発展しており、現在の第３世代移動通信システムを搭載した移動体通信端末として、Ｗ−ＣＤＭＡ（Wideband Code Division Multiple Access）通信とＧＳＭ（Global System for Mobile Communications）通信のメジャーメントを両立して実施する、デュアルモード機能を有する端末が主流になってきている。ここでＧＳＭとは、第２世代の移動通信システム通信規格である。なお第３世代移動通信（３ＧＰＰ（Third Generation Partnership Project））については、たとえばそのホームページに記載がある。
【０００３】
また、移動体通信端末では、更なる高速通信速度への要求を満たすため、ＨＳＤＰＡ（High Speed Downlink Packet Access）通信制御を取り入れることが主流になっている。ここでＨＳＤＰＡとは、Ｗ−ＣＤＭＡを拡張した高速パケット通信規格である。
【０００４】
このように通信方式と通信速度の双方に対して要求を実現すると、移動体通信端末の利便性が向上するものの、移動体通信端末に必要とされる消費電力は、従来に比べて高くなる。特に移動体通信端末は、オフィスや家庭に設置される固定電話機と比較すると充電の機会が限られる。このため、これら移動体通信端末に使用されるバッテリについては、長寿命化が必須技術となり、あるいは端末自体の消費電力の低減動作が必須技術となる。
【０００５】
そこで、バッテリの残量が少なくなったとき、第１の通信システムとの接続を、消費電力のより少ない第２の通信システムとの接続に切り換えることが、本発明の関連技術として提案されている（たとえば特許文献１参照）。
【０００６】
この関連技術では、Ｗ−ＣＤＭＡ方式を採用するＷ−ＣＤＭＡシステムとＧＳＭ方式を採用するＧＳＭシステムのいずれかの通信システムと接続して相手の端末と通信を行うようになっている。そして、端末がＷ−ＣＤＭＡ方式で通信をしている最中にそのバッテリの残量がレベル１にまで低下すると、その通信を切断することなく、ＧＳＭ方式への切換えが行われる。すなわち、Ｗ−ＣＤＭＡシステムからＧＳＭシステムへのハンドオーバが行われる。これにより、最大通信速度は低くなるが、端末の消費電力が抑えられるので、Ｗ−ＣＤＭＡ方式を継続した場合と比べて通信時間を延長させることができる。
【特許文献１】特開２００６−２７９５７７号公報（第００１６段落、第００２７段落、図１）
【発明の開示】
【発明が解決しようとする課題】
【０００７】
しかしながら、この関連技術は、Ｗ−ＣＤＭＡシステムとＧＳＭ方式を択一的に使用する端末に適用されるものであり、複数の通信方式を双方利用状態としている移動体通信端末と通信環境が異なることになる。
【０００８】
そこで本発明の目的は、複数の通信方式を並行して利用している状況でバッテリの残量が所定量以下となったとき、バッテリの使用可能時間の延長を実現できる移動体通信端末、移動体通信方法および移動体通信制御プログラムを提供することにある。
【課題を解決するための手段】
【０００９】
本発明では、（イ）複数の通信方式を備えた通信手段と、（ロ）この通信手段を含めた装置各部に電源を供給するバッテリと、（ハ）このバッテリの残量を検出するバッテリ残量検出手段と、（ニ）このバッテリ残量検出手段が所定の閾値以下の残量を検出したとき前記複数の通信方式の少なくとも２以上の並行使用としてのデュアル通信モードからいずれか１つの通信方式のみを使用するシングル通信モードに切り替える通信モード切替手段とを移動体通信端末に具備させる。
【００１０】
また、本発明では、（イ）自端末の電源投入時に電源管理に関するユーザの予め設定したユーザ設定情報を読み出すユーザ設定情報読出ステップと、（ロ）前記自端末に電源を供給するバッテリの残量が記所定の閾値以下となったときこれを検出するバッテリ残量閾値以下検出ステップと、（ハ）このバッテリ残量閾値以下検出ステップで前記バッテリの残量が前記所定の閾値以下となったことが検出されたときで、前記ユーザ設定情報読出ステップで読み出したユーザ設定情報が、２以上の通信方式の並行使用としてのデュアル通信モードで通信を行うデュアル通信モードからこれらの通信方式のうちの特定の１つの使用としてのシングル通信モードに通信モードを切り替える旨の設定内容となっているとき、この切り替えを行う通信モード切替ステップとを移動体通信方法に具備させる。
【００１１】
更に本発明では、バッテリから電源の供給を受ける移動体通信端末のコンピュータに、移動体通信制御プログラムとして、（イ）自端末の電源投入時に電源管理に関するユーザの予め設定したユーザ設定情報を読み出すユーザ設定情報読出処理と、（ロ）前記自端末に電源を供給するバッテリの残量が記所定の閾値以下となったときこれを検出するバッテリ残量閾値以下検出処理と、（ハ）このバッテリ残量閾値以下検出処理で前記バッテリの残量が前記所定の閾値以下となったことが検出されたときで、前記ユーザ設定情報読出処理で読み出したユーザ設定情報が、２以上の通信方式の並行使用としてのデュアル通信モードで通信を行うデュアル通信モードからこれらの通信方式のうちの特定の１つの使用としてのシングル通信モードに通信モードを切り替える旨の設定内容となっているとき、この切り替えを行う通信モード切替処理とを実行させることを特徴としている。
【発明の効果】
【００１２】
以上説明したように本発明によれば、通常は重複して使用している複数の通信方式を、バッテリの残量が所定以下となった時点で単独の通信方式に切り替える。通信に要する電力使用量の比重は高いので、これにより通信を中断することなくバッテリの消費電力の大幅な低減が可能である。また、ユーザはデュアル通信モードからシングル通信モードに切り替えられたことによる受信状態の変化で、バッテリ残量が所定以下となったことを知ることができ、これに対処することができる。
【発明を実施するための最良の形態】
【００１３】
次に本発明を一実施の形態と共に説明する。
【００１４】
図１は、本発明の一実施の形態における携帯電話端末の構成の概要を表わしたものである。この携帯電話端末１００は、アンテナ１０１を無線の送受信用に接続した無線通信部１０２と、この無線通信部１０２と接続され、端末内の各部の制御を行う本体制御部１０３と、この本体制御部１０３に電源を供給するバッテリデバイス１０４によって構成されている。
【００１５】
ここで、本体制御部１０３は、図示しないＣＰＵ（Central Processing Unit）や、このＣＰＵが実行する制御プログラムを格納したメモリを備えるメイン制御装置１１１を有している。メイン制御装置１１１は、本体制御部１０３内で次の各部と通知メッセージの送受信を行うようになっている。
【００１６】
（ａ）ＨＳＤＰＡ制御部装置１１２
ＨＳＤＰＡ（High Speed Downlink Packet Access）制御部装置１１２は、ＨＳＤＰＡ通信制御を行うチップセットを含めた構成となっている。ここでＨＳＤＰＡ通信制御は、Ｗ−ＣＤＭＡ（Wideband Code Division Multiple Access）によるデータ通信を高速化した通信規格となっている。
【００１７】
（ｂ）Ｗ−ＣＤＭＡ制御部装置１１３
Ｗ−ＣＤＭＡ制御部装置１１３は、Ｗ−ＣＤＭＡ通信制御を行うチップセットを含めた構成となっている。ここでＷ−ＣＤＭＡ通信制御は、第３世代の携帯電話方式の１つである。ＨＳＤＰＡ通信制御は、これに対して第３．５世代の携帯電話方式と呼ばれることがある。
【００１８】
（ｃ）ＧＳＭ制御部装置１１４
ＧＳＭ（Global System for Mobile Communications）制御部装置１１４は、ＧＳＭ通信制御を行うチップセットを含めた構成となっている。ここでＧＳＭ通信制御は、ディジタル携帯電話機に使用される無線通信方式の１つである。
【００１９】
（ｄ）バッテリ制御部装置１１５
バッテリ制御部装置１１５は、バッテリデバイス１０４の電圧を監視し、残量を管理するための装置である。
【００２０】
無線通信部１０２には、アンテナ１０１から受信したＷ−ＣＤＭＡ網の無線制御を実施するＷ−ＣＤＭＡ無線制御部装置１２１と、同じくアンテナ１０１から受信したＧＳＭ網の無線制御を実施するＧＳＭ無線制御部装置１２２とが配置されている。
【００２１】
このような携帯電話端末１００でメイン制御装置１１１は、ハードウェア制御状態管理と、ＲＡＴＥ（Radio Access Technology）の管理と、ユーザ設定管理および通信状態管理を管理対象としている。ここでハードウェア制御状態管理とは、バッテリデバイス１０４のバッテリ残量が正常時の制御状態であるか、バッテリ残量が低減したときの制御状態であるかという情報を管理する。ＲＡＴＥ管理については、Ｗ−ＣＤＭＡとＧＳＭのデュアルモード設定であるか、Ｗ−ＣＤＭＡのみのシングルモード設定であるか、あるいはＧＳＭのみのシングルモード設定であるかの情報を管理する。
【００２２】
メイン制御装置１１１は、バッテリ制御部装置１１５に対してユーザの設定に基づくユーザ設定管理を行う。具体的には、バッテリデバイス１０４がバッテリ低減状態となったときのために、機能削減対象の設定を管理する。一例を挙げると、バッテリ低減時の動作設定のオン・オフ、バッテリ低減判断の閾値、ＨＳＤＰＡ機能の停止設定のオン・オフならびにＲＡＴＥ設定管理を行う。そして、バッテリの低減時に動作制限を行うかの設定、バッテリの低減時と判断するための閾値をバッテリの残量のパーセンテージ表示として表わすかについての設定、ＨＳＤＰＡ通信機能を停止するか否か、デュアルモードからシングルモードへの切り替えを実施するかの設定を、それぞれ、ユーザが任意で行い、管理する機能を実現している。なお、これら各種の設定内容は、メイン制御装置１１１内の図示しないメモリの不揮発性メモリ領域に格納されるようになっている。
【００２３】
メイン制御装置１１１は、通信状態の管理に関して、ネットワークを介して接続される通信相手と通信する際にこの携帯電話端末１００がＨＳＤＰＡ対応機であるか非対応機であるかの情報を管理する。この情報は、Ｗ−ＣＤＭＡ通信開始時のコネクション時に端末の情報として付加し、この携帯電話端末１００からネットワークを介して通知するようになっている。
【００２４】
Ｗ−ＣＤＭＡ制御部装置１１３は、メイン制御装置１１１、ＨＳＤＰＡ制御部装置１１２およびＷ−ＣＤＭＡ無線制御部装置１２１とインターフェースを持っている。そして、アンテナ１０１からネットワークを介して受信したＷ−ＣＤＭＡ形式無線情報をＷ−ＣＤＭＡ無線制御部装置１２１を通じて受け取り、この情報をデコードしてメイン制御装置１１１へ渡す処理を行う。
【００２５】
また、この携帯電話端末１００で、Ｗ−ＣＤＭＡ無線制御部装置１２１から受け取るデータがＨＳＤＰＡ通信データであった場合、Ｗ−ＣＤＭＡ制御部装置１１３はこれをＨＳＤＰＡ制御部装置１１２に送ってＨＳＤＰＡデータのデコードを行わせる。そして、デコード後の情報をメイン制御装置１１１へ渡す処理を行う。
【００２６】
ＧＳＭ制御部装置１１４は、メイン制御装置１１１およびＧＳＭ無線制御部装置１２２とインターフェースを持っている。そして、アンテナ１０１からネットワークを介して受信したＧＳＭ形式無線情報をＧＳＭ無線制御部装置１２２を介して受け取り、この受け取った情報をデコードしてメイン制御装置１１１へ受け渡す処理を行う。
【００２７】
ＨＳＤＰＡ制御部装置１１２は、Ｗ−ＣＤＭＡ制御部装置１１３とインターフェースを持っている。そして、アンテナ１０１から受信したＨＳＤＰＡ通信データをＷ−ＣＤＭＡ無線制御部装置１２１を介して受け取り、この受け取った情報をデコードしてＷ−ＣＤＭＡ制御部装置１１３へ渡す処理を行う。
【００２８】
バッテリ制御部装置１１５は、バッテリデバイス１０４に内蔵された図示しないバッテリの出力電圧を監視する。そして、この出力電圧が予め設定した閾値未満であることが検出されると、これをトリガにしてメイン制御装置１１１へ通知を行うようになっている。バッテリ制御部装置１１５は、監視状態管理を行うと共に、閾値下検出フラグのオン・オフ制御を行う。このうち、監視状態管理については、４つの状態の管理が行われる。これらは、オン(監視中)、オフ(監視停止中)、制御中(電力低減時の動作切り替え中)および充電中である。閾値下検出フラグは、そのオン・オフの情報を管理する。フラグがオンとなっていれば、閾値未満となっている検出状態である。フラグがオフとなっていれば、閾値以上となっている状態である。
【００２９】
Ｗ−ＣＤＭＡ無線制御部装置１２１は、アンテナ１０１からＷ−ＣＤＭＡ形式の無線情報を受信して、Ｗ−ＣＤＭＡ制御部装置１１３へデータを渡す処理を行う。Ｗ−ＣＤＭＡ無線制御部装置１２１は、また、アンテナ１０１からＷ−ＣＤＭＡ網の受信を行うかについての制御も行うものとする。
【００３０】
ＧＳＭ無線制御部装置１２２は、アンテナ１０１からＧＳＭ形式の無線情報を受信し、ＧＳＭ制御部装置１１４へデータを渡す処理を行う。このＧＳＭ無線制御部装置１２２は、また、アンテナ１０１からＧＳＭ網の受信を行うかについての制御も行うものとする。
【００３１】
アンテナ１０１は、Ｗ−ＣＤＭＡ網およびＧＳＭ網の双方の情報を受信できるデバイスとなっている。また、バッテリデバイス１０４はこの携帯電話端末１００で説明を省略した図示しないディスプレイやスピーカ等の他のデバイスのすべてに対して電力供給を行うようになっている。なお、図１に示したメイン制御装置１１１以外のＨＳＤＰＡ制御部装置１１２等の他のデバイスの少なくとも一部は、ハードウェアで構成される必要がなく、メイン制御装置１１１の前記したＣＰＵが制御プログラムを実行することによってソフトウェア的に実現することが可能である。
【００３２】
次に、以上のような構成の携帯電話端末１００に関する省電力のための動作を具体的に説明する。
【００３３】
図２は、メイン制御装置の初期状態における制御の様子を表わしたものである。図１と共に説明する。
【００３４】
ユーザが図示しない電源スイッチを操作して携帯電話端末１００の電源を投入すると、メイン制御装置１１１が初期化時の動作として装置内の前記した不揮発性メモリ領域からユーザ設定情報を読み出す（ステップＳ２０１）。メイン制御装置１１１はユーザ設定情報がバッテリの低減時の動作を予め設定しているかどうかをチェックする（ステップＳ２０２）。そして、バッテリの低減時の動作を設定している場合には（Ｙ）、バッテリ制御部装置１１５に監視を行わせるために監視通知を行う（ステップＳ２０３）。
【００３５】
これに対して、ステップＳ２０２でバッテリの低減時の動作をユーザ設定情報として設定していない場合には（Ｎ）、この通知を行うことなく、初期化時の動作を終了する（エンド）。
【００３６】
図３は、この監視通知を受信した際のバッテリ制御部装置の制御の様子を表わしたものである。図１と共に説明する。
【００３７】
バッテリ制御部装置１１５は図２のステップＳ２０３による監視通知を受信すると（ステップＳ２２１：Ｙ）、バッテリデバイス１０４の監視状態をオンに設定する（ステップＳ２２２）。そして、バッテリ電圧の監視を実施する（ステップＳ２２３）。
【００３８】
この結果、バッテリ電圧が、ユーザの設定した閾値未満である場合には（ステップＳ２２４：Ｙ）、現在オンとなっている「監視状態」を「制御中」に遷移させる（ステップＳ２２５）。そして、閾値下検出フラグをオンにする（ステップＳ２２６）。この後、バッテリ制御部装置１１５はメイン制御装置１１１に対してバッテリが低減状態になったことを示す低減状態変更通知を行う（ステップＳ２２７）。この後、バッテリデバイス１０４の次の監視の実施が行われる時間ｔ1が経過したかどうかを判別し（ステップＳ２２８）、バッテリの監視制御が終了する原因が生じることなく（ステップＳ２２９：Ｎ)、時間ｔ1が経過した場合には（ステップＳ２２８：Ｙ）、処理がステップＳ２２３に戻って、バッテリ電圧の再度のチェックが行われることになる。以下同様である。
【００３９】
一方、ステップＳ２２３でバッテリ電圧をチェックした結果、これが閾値を超えた高い電圧であった場合には（ステップＳ２２４：Ｎ）、ステップＳ２２５と同様に現在オンとなっている「監視状態」を「制御中」に遷移させる（ステップＳ２３０）。この場合、バッテリ制御部装置１１５は閾値下検出フラグをオフにする（ステップＳ２３１）。そして、バッテリ制御部装置１１５はメイン制御装置１１１に対してバッテリの電圧が正常状態になったことを示す正常状態変更通知を行う（ステップＳ２３２）。
【００４０】
この後は、前記したステップＳ２２８およびステップＳ２２９の処理が行われて、この図３に示す処理が終了しない限り（ステップＳ２２９：Ｎ）、ステップＳ２２３に処理が戻って、バッテリデバイス１０４の出力電圧のチェックが定期的に繰り返されることになる。これに対して、携帯電話端末１００の図示しない電源スイッチがオフにされるような所定の終了事由が発生すると（ステップＳ２２９：Ｙ）、図３に示す一連の処理が終了する（エンド）。
【００４１】
図４は、低減状態変更通知や正常状態変更通知を受信した際のメイン制御装置の処理の様子を表わしたものである。図１と共に説明する。
【００４２】
メイン制御装置１１１は、図３で説明したようにバッテリデバイス１０４の出力電圧に応じてバッテリ制御部装置１１５から低減状態変更通知（ステップＳ２２７）あるいは正常状態変更通知（ステップＳ２３２）を受ける。そこで、メイン制御装置１１１は、これらいずれかの通知の受信を待機している（ステップＳ２５１、ステップＳ２５２）。
【００４３】
メイン制御装置１１１は、低減状態変更通知が受信されると（ステップＳ２５１：Ｙ）、情報として保有しているハードウェア制御状態をバッテリ低減時の制御状態へと遷移させる（ステップＳ２５３）。そして、ユーザ設定情報を基にして、バッテリ低減時にユーザが期待する動作内容に応じて、Ｗ−ＣＤＭＡ制御部装置１１３およびＧＳＭ制御部装置１１４に低減状態の制御を通知し、設定を行う（ステップＳ２５４）。
【００４４】
ここでメイン制御装置１１１によるステップＳ２５４に基づいたバッテリ低減時のユーザ設定に対するハードウェア停止要件の具体的な実現手法を説明する。
【００４５】
メイン制御装置１１１は、ＨＳＤＰＡ機能停止設定についてはユーザ設定情報のＨＳＤＰＡ機能停止設定を基にして、必要に応じて、Ｗ−ＣＤＭＡにおけるＨＳＤＰＡ通信を利用しないように設定を行う。
【００４６】
ＨＳＤＰＡ通信を利用しないための具体的な手法について説明する。Ｗ−ＣＤＭＡシステムとして規定されている動作として、通信開始時のコネクションにおいて、ネットワーク側へＨＳＤＰＡ対応機であるか否かの情報の通知を行うが、その際の通知内容を、本手順でＨＳＤＰＡ対応機から非対応機へ変更することを実施する。この制御が実施されることにより、ＨＳＤＰＡ通信機能は使用されなくなり、ＨＳＤＰＡ制御部装置１１２への電力供給の削減を実現できることになる。
【００４７】
メイン制御装置１１１は、ＲＡＴＥ設定管理については、ユーザ設定情報のＲＡＴＥ設定管理を基にして、必要に応じて、Ｗ−ＣＤＭＡとＧＳＭのデュアルモード設定においての通信をＷ−ＣＤＭＡシングルモードまたはＧＳＭシングルモードとして制御を行う。
【００４８】
このための具体的な手法としては、メイン制御装置１１１で管理しているＲＡＴＥ管理機能について、デュアルモード通信からＷ−ＣＤＭＡシングルモードまたはＧＳＭシングルモードへと制御の切り替えを行う。この切り替えに際して、Ｗ−ＣＤＭＡシングルモードとして通信を行う場合には、まずＧＳＭ制御部装置１１４へ通知を行い、そこからＧＳＭ無線制御部装置１２２に対して無線通信部１０２で受信を行わない旨の通知を行って、双方の装置１１４、１２２の動作停止を行う。このような制御により、ＧＳＭ通信機能は使用されなくなり、ＧＳＭ制御部装置１１４への電力供給の削減を実現できることとなる。
【００４９】
一方、ＧＳＭシングルモードとして通信する切り替えを行う場合には、まずＷ−ＣＤＭＡ制御部装置１１３へ通知を行い、そこからＷ−ＣＤＭＡ無線制御部装置１２１に対して無線通信部１０２で受信を行わない旨の通知を行って、双方の装置１１３、１２１の動作停止を行う。このような制御により、Ｗ−ＣＤＭＡ通信機能は使用されなくなり、Ｗ−ＣＤＭＡ制御部装置１１３への電力供給の削減を実現できることとなる。
【００５０】
以上のようにしてステップＳ２５４による処理が行われたら、メイン制御装置１１１はバッテリ制御部装置１１５に対して監視通知を行う（ステップＳ２５５）。以上で、閾値未満の検出の設定制御イベントを終了する。なお、ステップＳ２５５の監視通知により、バッテリ制御部装置１１５は図３のステップＳ２２２以降の処理を開始することになる。
【００５１】
ところで、ステップＳ２５２でメイン制御装置１１１がバッテリ制御部装置１１５から正常状態変更通知を受信すると（Ｙ）、情報として保有しているハードウェア制御状態をバッテリ正常時の制御状態へと遷移させる（ステップＳ２５６）。そして、ユーザ設定情報を基にして、バッテリ低減時の状態として制限していた動作を復旧させるために、Ｗ−ＣＤＭＡ制御部装置１１３およびＧＳＭ制御部装置１１４に正常状態の制御を通知し、設定を行う（ステップＳ２５７）。
【００５２】
ここでメイン制御装置１１１によるステップＳ２５７に基づいたハードウェア制御状態を正常時の制御状態へ復旧させるための具体的な実現手法を説明する。
【００５３】
メイン制御装置１１１は、必要であれば、Ｗ−ＣＤＭＡにおけるＨＳＤＰＡ通信を利用可能にするように設定を行う。ＨＳＤＰＡ通信を利用可能にする具体的な手法としては、Ｗ−ＣＤＭＡシステムとして規定されている動作として、通信開始時のコネクションにおいて、ネットワーク側へＨＳＤＰＡ対応機であるか否かの情報の通知を行うが、この際の通知内容を、先に設定を行っていたＨＳＤＰＡ非対応機の状態から対応機の状態へ変更することを実施する。この制御により、ＨＳＤＰＡ通信機能が利用可能になり通常の動作へと復帰することになる。
【００５４】
また、メイン制御装置１１１は、必要であれば、ＲＡＴＥ管理についてバッテリ低減時の制御状態として設定していた通信制御からＷ−ＣＤＭＡとＧＳＭのデュアルモードへと制御を切り替える。具体的な手法としては、メイン制御装置１１１で管理しているＲＡＴＥ管理機能について、Ｗ−ＣＤＭＡとＧＳＭのデュアルモードへと制御を切り替える。
【００５５】
この切り替えに際して、バッテリ低減時の制御としてＷ−ＣＤＭＡシングルモードとして切り替えていた場合は、まずＧＳＭ制御部装置１１４へ復旧を通知する。そして、そこから無線通信部１０２のＧＳＭ無線制御部装置１２２の受信についても受信を再開する旨の通知を行って、双方の装置１１４、１２２の動作開始を行う。
【００５６】
一方、バッテリ低減時の制御としてＧＳＭシングルモードとして切り替えていた場合は、まずＷ−ＣＤＭＡ制御部装置１１３へ復旧を通知する。そして、そこから無線通信部１０２のＷ−ＣＤＭＡ無線制御部装置１２１についても受信を再開する旨の通知を行って、双方の装置１１３、１２１の動作開始を行う。
【００５７】
以上のようにしてステップＳ２５７による処理が行われたら、メイン制御装置１１１はバッテリ制御部装置１１５に対して監視通知を行う（ステップＳ２５５）。なお、ステップＳ２５５の監視通知により、バッテリ制御部装置１１５は図３のステップＳ２２２以降の処理を開始することになる。
【００５８】
次に、以上説明したような制御と携帯電話端末１００の他の機能との競合時の処理の様子を説明する。
【００５９】
図５は、バッテリの充電時におけるバッテリ制御部装置の制御の様子を表わしたものである。図１と共に説明する。
【００６０】
バッテリ制御部装置１１５は、バッテリデバイス１０４の充電の開始（ステップＳ２７１）と、充電の解除（ステップＳ２７２）の監視を行っている。このうち、充電が解除された場合には（ステップＳ２７２：Ｙ）、その処理が図２のステップＳ２０１に移行する。すなわち、この場合には携帯電話端末１００の電源が投入された場合と同様の処理が開始される。そこで、この場合のこれ以降の処理の説明は省略する。
【００６１】
これに対して、ユーザの動作によって充電が開始された場合には（ステップＳ２７１：Ｙ）、監視状態を充電中状態に遷移することになるが、このとき、すでにバッテリ低減時の状態として動作しているかをチェックする（ステップＳ２７３）。バッテリ低減時の状態として動作している場合には（Ｙ）、正常時の動作に切り替えるため、閾値下検出フラグをオフにする（ステップＳ２７４）。そして、メイン制御装置１１１へ正常状態変更通知を行う（ステップＳ２７５）。この正常状態変更通知が行われると、すでに図４のステップＳ２５２で説明したようなステップＳ２５６およびステップＳ２５７の処理が行われることになる。
【００６２】
一方、ステップＳ２７３でバッテリ低減時以外の状態の場合には（Ｎ）、監視状態を充電中状態に遷移する（ステップＳ２７６）。このように、バッテリの監視により閾値未満の検出または閾値以上の検出を行わないように制御を変更して、低減時の設定動作を行わないようにする。監視状態が制御中の場合には、制御中から他状態(オン、オフあるいは充電中)に切り替わった際に監視状態を充電中に状態遷移することにする。
【００６３】
図６は、ユーザ設定情報が変更された場合のメイン制御装置の処理の様子を表わしたものである。図１と共に説明する。
【００６４】
メイン制御装置１１１は、ユーザ設定情報の変更処理を実行すると（ステップＳ２９１）、バッテリ制御部装置１１５に対して、ユーザ設定情報の更新通知を行う（ステップＳ２９２）。
【００６５】
図７は、ユーザ設定情報の更新時におけるバッテリ制御部装置側の処理の様子を表わしたものである。図１と共に説明する。
【００６６】
バッテリ制御部装置１１５は、図６で説明したメイン制御装置１１１からユーザ設定情報の更新通知を受信すると（ステップＳ３０１：Ｙ）、バッテリデバイス１０４に対して充電中であるかをチェックする（ステップＳ３０２）。充電中の場合には（Ｙ）、図２で説明したように、充電解除後に電源投入時より初期化の動作として実施していた動作を実施するため、更新は行わない（エンド）。
【００６７】
充電中ではなく（ステップＳ３０２：Ｎ）、制御中の場合には（ステップＳ３０３：Ｙ）、制御中から他の状態(オン、オフあるいは充電中)に切り替わった際に更新する状態を適用することにして（ステップＳ３０４）、処理を終了する（エンド）。他の状態(オンまたはオフ）である場合には（ステップＳ３０３：Ｎ)、新しい設定に基づいて、設定を更新する（ステップＳ３０５）。
【００６８】
このステップＳ３０５の処理が行われたときに、バッテリ低減時の状態として動作させている場合がある。この場合には、一度正常時の制御状態へ戻すために、閾値下検出フラグをオフし、メイン制御装置１１１へ正常状態変更通知を行う。この正常状態変更通知を受信したメイン制御装置１１１は、図４のステップＳ２５６およびステップＳ２５７の制御を行うことになる。
【００６９】
図８は、バッテリ閾値よりも低い電圧を検出した際の携帯電話端末各部の制御の様子を表わしたものである。図１と共に説明する。図８に示した制御で、携帯電話端末１００の制御動作に対するユーザ設定については、バッテリ残量の低減動作がオン、ＨＳＤＰＡ機能の停止設定がオン、ＲＡＴＥ設定管理がＷ−ＣＤＭＡシングルモード固定とされているものとする。
【００７０】
バッテリ制御部装置１１５は、バッテリデバイス１０４からのバッテリ閾値未満を検出すると（ステップＳ３２１、図３ステップＳ２２４：Ｙ）、閾値下フラグをオンとし（ステップＳ３２２、図３ステップＳ２２６）、監視状態を制御中に遷移する（ステップＳ３２３）。そして、メイン制御装置１１１に対して低減状態変更通知を行う（ステップＳ３２４、図３ステップＳ２２７）。
【００７１】
通知を受けたメイン制御装置１１１は、ユーザの設定情報を判断し、低減時の制御状態へと状態遷移させる（ステップＳ３２５、図４ステップＳ２５３）。そして、保有しているＨＳＤＰＡ対応機であるか非対応機であるかの情報について、ＨＳＤＰＡ非対応機として設定し（ステップＳ３２６）、これ以降は通信開始時のコネクションでこの情報を使用する。続いて、メイン制御装置１１１は、ＧＳＭ制御部装置１１４に対して、制御状態変更通知（ＧＳＭメジャーメント停止）を実施する（ステップＳ３２７）。
【００７２】
この制御状態変更通知を受けたＧＳＭ制御部装置１１４は、ＧＳＭ無線制御部装置１２２に対して、制御停止通知を行う（ステップＳ３２８）。
【００７３】
ＧＳＭ無線制御部装置１２２は、この制御停止通知を受信すると、ＧＳＭのメジャーメントを停止する（ステップＳ３２９）。そして、制御停止完了通知をＧＳＭ制御部装置１１４に送出する（ステップＳ３３０）。
【００７４】
ＧＳＭ制御部装置１１４はこの制御停止完了通知を受領すると、ＧＳＭ制御部装置１１４自体の停止設定を行い（ステップＳ３３１）、この上で制御状態変更完了通知をメイン制御装置１１１に対して行う（ステップＳ３３２）。制御状態変更完了通知を受けたメイン制御装置１１１は、バッテリ制御部装置１１５に対して、低減状態変更完了通知を行う（ステップＳ３３３）。バッテリ制御部装置１１５は低減状態変更完了通知を受信すると、監視状態をオンに遷移して（ステップＳ３３４）、バッテリデバイス１０４の監視を再開する。
【００７５】
以上説明したように本実施の形態によれば、携帯電話端末１００の起動のたびにユーザ設定情報をチェックして、その結果に基づいてデュアル通信モードからシングル通信モードへの切り替えを可能にする監視を行うかどうかを決めることにした。また、この切り替えを行うバッテリの電圧もユーザ設定で変更できるようにしたので、携帯電話端末１００のバッテリ管理をユーザの使用環境に適応させることができる。また、デュアル通信モードからシングル通信モードへ切り替わったことで、ユーザはバッテリの残量が所定値以下となったことを認識することができるので、特別の警告表示が不要になる。
【００７６】
なお、本発明の対象となる携帯電話端末１００は、携帯電話機に限定されるものではない。ＰＨＳ（Personal Handyphone System）や電話機能を備えた小型のパーソナルコンピュータ等の各種の携帯電話端末であっても、デュアル通信モードとシングル通信モードの切り替えが可能な端末全部に対して、本発明を同様に適用することができる。
【図面の簡単な説明】
【００７７】
【図１】本発明の一実施の形態における携帯電話端末の構成の概要を表わしたブロック図である。
【図２】本実施の形態でメイン制御装置の初期状態における制御を表わした流れ図である。
【図３】本実施の形態で監視通知を受信した際のバッテリ制御部装置の制御を表わした流れ図である。
【図４】本実施の形態で減状態変更通知や正常状態変更通知を受信した際のメイン制御装置の処理を表わした流れ図である。
【図５】本実施の形態でバッテリの充電時におけるバッテリ制御部装置の制御の様子を表わした流れ図である。
【図６】本実施の形態でユーザ設定情報が変更された場合のメイン制御装置の処理の様子を表わした流れ図である。
【図７】本実施の形態でユーザ設定情報の更新時におけるバッテリ制御部装置側の処理の様子を表わした流れ図である。
【図８】本実施の形態でバッテリ閾値よりも低い電圧を検出した際の携帯電話端末各部の制御の様子を示した説明図である。
【符号の説明】
【００７８】
１００  携帯電話端末
１０２  無線通信部
１０３  本体制御部
１０４  バッテリデバイス
１１１  メイン制御装置
１１２  ＨＳＤＰＡ制御部装置
１１３  Ｗ−ＣＤＭＡ制御部装置
１１４  ＧＳＭ制御部装置
１１５  バッテリ制御部装置
１２１  Ｗ−ＣＤＭＡ無線制御部装置
１２２  ＧＳＭ無線制御部装置
【図１】
2009194805.tif 000003
【図２】
2009194805.tif 000004
【図３】
2009194805.tif 000005
【図４】
2009194805.tif 000006
【図５】
2009194805.tif 000007
【図６】
2009194805.tif 000008
【図７】
2009194805.tif 000009
【図８】
2009194805.tif 000010